(57)【要約】【課題】ティーバッグの含んだ水分を搾り切ることによって、最後の一滴まで抽出し、茶のうまみを十分に引き出すことができるティーバッグ搾り器を提供すること。また、ティーバッグの含んだ水分を搾り切ることにより、ティーカップからティーバッグを取り出したときに、水分が外に垂れることを回避できるティーバッグ搾り器を提供すること。【解決手段】二又形状に形成し弾性力を付与したアーム１と、当該アームの二又先端部に、ティーバッグを狭持するための狭持部２を形成する。【選択図】  図１
2004267698.tif 000002
【特許請求の範囲】
【請求項１】
二又形状に形成し弾性力を付与したアームと、当該アームの二又先端部に、ティーバッグを狭持するための狭持部を形成したことを特徴とする、ティーバッグ搾り器。
【発明の詳細な説明】
【０００１】
【発明の属する技術分野】
本発明は、ティーバッグでお茶を入れる際に用いる、ティーバッグの搾り器に関する。
【０００２】
【従来の技術】
従前より、紅茶や緑茶を手軽に入れるための製品として、ティーバッグが広く用いられている。ティーバッグとは、水分を浸透させる薄い紙やナイロンメッシュで茶葉を袋状に包んだ製品である。
【０００３】
紅茶のティーバッグなどには、この袋を直接手に触れずに動かせるよう、袋に糸が取り付けられている製品が多い。ティーバッグを用いた紅茶の入れ方は、ティーカップにティーバッグを入れ、湯を注ぐ。そして、ティーバッグに付いた糸を適当に動かすと共に所定の時間を経過させて、紅茶の成分を湯に引き出す。そして、適度に湯が染色されたことを目安として、ティーカップからティーバッグを取り出す。ここで、本発明において記載すべき先行技術文献は知り得ていない。
【０００４】
【発明が解決しようとする課題】
しかしながら、上述したような方法で紅茶を入れた場合、紅茶のうまみを十分に引き出すことが難しいという不都合があった。これは、紅茶のうまみが凝縮されている茶葉の水分を、十分に搾り切ることが出来ないということに起因する。ちなみに、紅茶の本場イギリスでは、茶葉をポットで入れた際に出る紅茶の最後の一滴は、茶のエキスが凝縮されているためゴールデンドロップと呼ばれており、非常に大事に飲みきられている。
【０００５】
また、ティーカップから水分を含んだティーバッグを取り出す場合、紅茶がぼたぽたと外に垂れてしまい非常に不経済であった。
【０００６】
上述のような不都合を回避するため、使用者はスプーンを使って、ティーバッグをティーカップの縁に押し当てたりするなど、水分を搾る工夫を余儀無くされていた。
【０００７】
しかしながら、このような方法では加える力の加減が難しく、ティーバッグを無理に縁に押し当ててしまい、ティーバッグの袋を破いてしまう惧れがあった。また、押し当てるティーカップの縁の面積も決して広くはないため、ティーバッグが含んだ水分を完全に搾り切ることは難しかった。
【０００８】
【発明の目的】
本発明は、かかる従来例の有する不都合を改善し、ティーバッグの含んだ水分を搾り切ることによって、最後の一滴まで抽出し、茶のうまみを十分に引き出すことができるティーバッグ搾り器を提供することを、その目的とする。
【０００９】
また、ティーバッグの含んだ水分を搾り切ることにより、ティーカップからティーバッグを取り出したときに、水分が外に垂れることを回避できるティーバッグ搾り器を提供することを、その目的とする。
【００１０】
【課題を解決するための手段】
上記目的を達成するため、請求項１記載の発明は、二又形状に形成し弾性力を付与したアーム１と、当該アーム１の二又先端部に、ティーバッグを狭持するための狭持部２を形成したことを特徴とする。
【００１１】
本発明によると、ティーバッグに十分な押圧力を加えて狭持することができる。これにより、ティーカップからティーバッグを取り出す際に、ティーバッグが含んだ水分を搾り切ることができる。こうして、前述した目的を達成する。
【００１２】
【発明の実施の形態】
本発明の一実施形態を図１乃至図４に基づいて説明する。ここで、以下の詳細な説明は、本発明の実施形態の一例を示すものであって、本発明の権利範囲がこれに限定されるものではない。当業者において、通常用いられる代替手段の採用が可能である。
【００１３】
図１は、本発明に係るティーバッグ搾り器１０の外観を示す斜視図である。また、図２は、ティーバッグ搾り器１０の外観を示す正面図である。また、図３は、ティーバッグ搾り器１０の外観を示す側面図である。
【００１４】
本発明に係るティーバッグ搾り器１０は、二又形状に形成し弾性力を付与したアーム１と、当該アーム１の二又先端部に、ティーバッグを狭持するために形成された狭持部２とから構成される。図示したように、ティーバッグ搾り器１０の外観は、ピンセットの柄が太いタイプのものや、パンや角砂糖をつかむトングに似ている。
【００１５】
以下、上記ティーバッグ搾り器１０について詳述する。
【００１６】
ティーバッグ搾り器１０の材質は、水分が付着しても錆びにくいステンレスである。符号１はアームであり、使用者の持ち手になる部位である。アーム１は、二又形状に形成され、弾性力を有する形状となっている。
【００１７】
そして、アーム１が有する一対の又（足）は、それぞれが互いに背反するように外側に向かって湾曲する形状となっている。このような湾曲形状に形成することにより、使用者がアーム１をつかむことによって発生する押圧力が、効率的に狭持部２、ティーバッグへと伝達される。よって、使用者は特に大きな力を加えることなく、ティーバッグが含んだ水分を容易に搾り切ることができる。
【００１８】
符号２は狭持部であり、ティーバッグを挟み持つ部位である。狭持部２は、アーム１の二又先端部に設けられており、扁平な正方形状をしている（図２、３参照）。狭持部２は扁平な形状をしているため、狭持したティーバッグに対して、均等な押圧力を負荷することができる。
【００１９】
図４は、本発明に係るティーバッグ搾り器１０の使用状態を示している。使用者は、水分を含んだティーバッグを狭持部２で挟み込み、アーム１を強く握り締めればよい。
【００２０】
以上が、本発明の一本実施形態に係る説明である。ここで、上述したように本発明の形態は、この実施形態に限られるものではない。例えば、本実施形態ではアーム１は湾曲形状であるが、棒状であってもよい。
【００２１】
また、本実施形態で説明した狭持部２は正方形状であるが、特にこの形状に限られたものでなく、例えば、長方形や円形、ハート形、星形、動植物などをかたどった形状であってもよい。
【００２２】
加えて、ティーバッグ搾り器１０の使用対象であるが、紅茶のティーバッグだけに限られるものではなく、緑茶や麦茶や中国茶などのバッグに使用してもよいし、鰹節などの出汁バッグに使用してもよい。
【００２３】
このように本実施形態によると、ティーバッグを十分な押圧力を加えて狭持することができるため、ティーバッグの含んだ水分を搾り切ることができる。これにより、最後の一滴であるゴールデンドロップまで抽出することができ、ひいては、紅茶のうまみを十分に引き出すことができる。また、ティーカップからティーバッグを取り出す際に、水分がぽたぽたと外へ垂れることを防ぐことができる。
【００２４】
【発明の効果】
本発明は、以上のように構成され機能するので、ティーバッグを十分な押圧力を加えて狭持することができる。これにより、ティーバッグの含んだ水分を十分に搾り切ることができ、ひいては茶のうまみを十分に引き出すことができる。また、ティーバッグをティーカップから取り出す時に、水分がぽたぽたと外へ垂れることを防ぐことができる、という従来にない優れたティーバッグ搾り器を提供することができる。
【図面の簡単な説明】
【図１】本発明に係るティーバッグ搾り器の斜視図である。
【図２】ティーバッグ搾り器の正面図である。
【図３】ティーバッグ搾り器の側面図である。
【図４】ティーバッグ搾り器の使用状態を示す図である。
【符号の説明】
１    アーム
２    狭持部
１０  ティーバッグ搾り器
【図１】
2004267698.tif 000003
【図２】
2004267698.tif 000004
【図３】
2004267698.tif 000005
【図４】
2004267698.tif 000006